(57)【特許請求の範囲】
【請求項１】
復調の際、複数ポイントについて離散フーリエ変換を行う直交周波数分割多重方式の復調装置に、
複数ポイントについて離散逆フーリエ変換を行う直交周波数分割多重方式で伝送すべき信号に周期的に参照信号を挿入して変調された信号を受信し、該参照信号を検出する参照信号検出装置、
該検出した参照信号を用いて、位相誤差および振幅誤差を算出する装置、
該位相誤差および振幅誤差を参照して受信した伝送信号を補正する装置
を設け、
前記参照信号検出装置は、
前記複数ポイント離散フーリエ変換結果データを前記参照信号の挿入タイミングに応じて遅延させる遅延装置、
該遅延された２つのデータの距離を積算演算する距離演算装置、および、
該距離演算装置で算出した距離の積算値から参照信号かどうかを判別する参照信号判定装置
を有する、
直交周波数分割多重方式の復調装置。
【請求項２】
復調の際、複数ポイントについて離散フーリエ変換を行う直交周波数分割多重方式の復調装置に、
複数ポイントについて離散逆フーリエ変換を行う直交周波数分割多重方式で伝送すべき信号に周期的に参照信号を挿入して変調された信号を受信し、該参照信号を検出する参照信号検出装置、
該検出した参照信号を用いて、位相誤差および振幅誤差を算出する装置、
該位相誤差および振幅誤差を参照して受信した伝送信号を補正する装置
を設け、
前記参照信号検出装置は、
前記複数ポイント離散フーリエ変換結果データを前記参照信号の挿入タイミングに応じて遅延させる遅延装置、
該遅延された２つのデータの距離を積算演算する距離演算装置、
該距離演算装置で算出したその距離を格納するバッファメモリ、
該バッファメモリ内のデータの最小値を見つけ、そのバッファメモリのアドレスを出力する比較器、および、
前記バッファメモリのアドレスに対応したデータ信号区間に参照信号であることを示す信号を出力する参照信号位置デコーダ
を有する、
直交周波数分割多重方式の復調装置。
【請求項３】
復調の際、複数ポイントについて離散フーリエ変換を行う直交周波数分割多重方式の復調装置に、
複数ポイントについて離散逆フーリエ変換を行う直交周波数分割多重方式で伝送すべき信号に周期的に参照信号を挿入して変調された信号を受信し、該参照信号を検出する参照信号検出装置、
該検出した参照信号を用いて、位相誤差および振幅誤差を算出する装置、
該位相誤差および振幅誤差を参照して受信した伝送信号を補正する装置
を設け、
前記参照信号検出装置は、
前記複数ポイント離散フーリエ変換結果データを前記参照信号の挿入タイミングに応じて遅延させる遅延装置、
該遅延された２つのデータの距離を積算演算する距離演算装置、および、
該距離演算装置におけるその積算値から参照信号かどうかを判別する参照信号判定装置、
参照信号判定装置の出力時点のシンボルのインデックスに変換する参照信号位置エンコーダ、
該参照信号位置エンコーダの出力を格納するバッファメモリ、
該バッファメモリの格納されているデータと参照信号位置エンコーダの出力データとを比較する比較器、
該比較器の比較結果によって状態を遷移し、その状態によってバッファメモリの書き込み／読み出しを制御する状態遷移レジスタ、および、
前記バッファメモリの格納データを読み出し、そのデータに対応した特定データ信号に参照信号であることを示す信号を出力させる参照信号位置デコーダ
を有する、
直交周波数分割多重方式の復調装置。
【請求項４】
復調の際、複数ポイントについて離散フーリエ変換を行う直交周波数分割多重方式の復調装置に、
複数ポイントについて離散逆フーリエ変換を行う直交周波数分割多重方式で伝送すべき信号に周期的に参照信号を挿入して変調された信号を受信し、該参照信号を検出する参照信号検出装置、
該検出した参照信号を用いて、位相誤差および振幅誤差を算出する装置、
該位相誤差および振幅誤差を参照して受信した伝送信号を補正する装置
を設け、
前記参照信号検出装置は、
前記複数ポイント離散フーリエ変換結果データを前記参照信号の挿入タイミングに応じて遅延させる遅延装置、
該遅延された２つのデータの距離を積算演算する距離演算装置、
該距離演算装置で演算した距離を格納する第１のバッファメモリ、
該第１のバッファメモリ内のデータの最小値を見つけ、そのバッファメモリのアドレスを出力する第１の比較器、
該第１の比較器の出力データを格納する第２のバッファメモリ、
該第２のバッファメモリの内容と前記第１の比較器の出力データを比較し、比較結果を出力する第２の比較器、
該第２の比較器の比較結果によって状態を遷移し、その状態によって前記第２のバッファメモリの書き込み／読み出しを制御する状態遷移レジスタ、および、  前記第２のバッファメモリの内容を読み出し, そのデータに対応した特定データ信号に参照信号であることを示す信号を出力させる参照信号位置デコーダ
を有する、
直交周波数分割多重方式の復調装置。
【請求項５】
前記距離演算装置は、前記２つの遅延された値の差の二乗和を計算する、請求項１〜４いずれか記載の復調装置。
【請求項６】
前記距離演算装置は、前記２つの遅延された値の差の絶対値和を計算する、請求項１〜４いずれか記載の復調装置。
【請求項７】
前記距離演算装置は、前記２つの遅延された値の位相差の絶対値和を計算する、請求項１〜４いずれか記載の復調装置。
【発明の詳細な説明】
【０００１】
【産業上の利用分野】
本発明はディジタル伝送の技術分野で用いられる直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）  に関するものであり、特に、ＯＦＤＭを多値ＱＡＭなどの多値変調に好適に適用可能にするためる参照信号の送出形態とその検出法に関するものである。
【０００２】
【従来の技術】
従来、ディジタル信号を伝送するには単一搬送波にてその位相および／または振幅を入力ディジタル信号に応じて高速に変化させることでディジタル信号を変調してきた。位相のみを変化させる方式としてＰＳＫ（Ｐｈａｓｅ  Ｓｈｉｆｔ  Ｋｅｙｉｎｇ）  変調方式が知られており、位相および振幅を変化させる方式としてＱＡＭ（Ｑｕａｄｒａｔｕｒｅ  Ａｍｐｌｉｔｕｄｅ  Ｍｏｄｕｌａｔｉｏｎ  ）変調方式がよく知られている。
ところが最近、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下ＯＦＤＭと略す）  方式と呼ばれる変調方式が提案されている。ＯＦＤＭは複数の搬送波で伝送帯域を分割するため、各搬送波の帯域は狭く、変調速度も遅い。しかしながら、このような搬送波が多数存在し、並列に伝送されるため、そのスループットは上記単一搬送波を用いた伝送方式と実質的に変わらないという利点がある。
【０００３】
ＯＦＤＭは搬送波が多数あり、逆フーリエ変換を用いてＯＦＤＭの変調、フーリエ変換を用いてＯＦＤＭの復調を実現することが提案されていた。
特に、近年のディジタル信号処理技術の発展により高速フーリエ変換（ＦＦＴ）または高速離散フーリエ変換（ＤＦＴ）を実際にハードウェア化し、そのＦＦＴまたはＤＦＴをＯＦＤＭに適用して多数の搬送波を一括して変調および復調することが試みられている。
【０００４】
図１０は各搬送波が差動化ＱＰＳＫ（Ｑｕａｄｒａｔｕｒｅ  Ｐｈａｓｅ  Ｓｈｉｆｔ  Ｋｅｙｉｎｇ  ）変調されたＯＦＤＭ変調器のブロック図である。
１はシリアルのディジタル入力端子を示し、２はシリアル／パラレル変換器を示し、３はマルチプレクサ（スイッチ）を示し、４はＮ個の差動ＱＰＳＫ符号化回路からなる差動ＱＰＳＫ符号化器を示し、５は第１の離散逆フーリエ変換ディジタル信号、つまり実数部の信号、｛ｘｋ，ｍ  ｝を演算する第１のＮポイント離散逆フーリエ変換器５ａと第２の第１の離散逆フーリエ変換ディジタル信号、つまり虚数部の信号、｛ｙｋ，ｍ  ｝を演算する第２のＮポイント離散逆フーリエ変換器５ｂとを有するＮポイント離散逆フーリエ変換器を示し、６，７はディジタル／アナログ変換器を示し、８，９はローパスフィルタを示し、１０，１１は乗算器（周波数変換器）を示し、１２はπ／２移相器を示し、１３は中間周波数（ＩＦ）帯局部発振器を示し、１４は加算器を示し、１５はＩＦ帯バンドパスフィルタを示し、１６は乗算器（周波数変換器）を示し、１７は無線周波数（ＲＦ）帯局部発振器を示し、１８はＲＦ帯バンドパスフィルタを示し、１９は送信アンテナを示す。
【０００５】
差動化ＱＰＳＫ−ＯＦＤＭ変調器の動作を説明する。
ディジタル入力端子１に基底帯域（ベースバンド）のシリアルのディジタル信号をシリアル／パラレル変換器２に入力する。このシリアル・ディジタル信号としては、たとえば、差動化ＱＰＳＫ−ＯＦＤＭ変調器を用いて画像伝送を行うことは想定した場合、ＭＰＥＧ（Ｍｏｖｉｎｇ  Ｐｉｃｔｕｒｅ  Ｅｘｐｅｒｔｓ  Ｇｒｏｕｐ）などに画像処理を行う情報源符号化装置の出力が相当する。
シリアル／パラレル変換器２はシリアルのディジタル信号を２ビットのパラレルデータに変換し出力する。
マルチプレクサ３は２ビットのパラレルデータをＮ個の差動符号化回路からなる差動化ＱＰＳＫ符号化器４に順次供給する。
差動ＱＰＳＫ符号化器４は前後の２ビットのデータの差分に対応した信号点｛Ｚｋ，ｌ  （≡Ｘｋ，ｌ  ＋  ｊＹｋ，ｌ  ）｝を生成し、信号点｛Ｚｋ，ｌ  ｝をＮポイント離散逆フーリエ変換器５に供給する。
表１に差動ＱＰＳＫ符号化器４の差分入力に対する出力の例を示す。
【０００６】
【表１】
0003582138.tif 000002
【０００７】
ここで、添字のｋはＯＦＤＭシンボルのシーケンス数であり、ｌ（エル）は差動ＱＰＳＫ符号化器４内の個々の差動化ＱＰＳＫ符号化回路の番号（インデックス）を示す。ｌは０〜（Ｎ−１）のまでの値をとる。
Ｎポイント離散逆フーリエ変換器５は差動化ＱＰＳＫ符号化器４内のＮ個の差動化ＱＰＳＫ符号化回路ら出力されるＮ個の信号点｛Ｚｋ，０  ，Ｚｋ，１  ，Ｚｋ，２  ，・・・Ｚｋ，Ｎ−１  ｝をＮポイントの離散逆フーリエ変換し、Ｎ個の複素数データ｛ｚｋ，０  ，ｚｋ，１  ，ｚｋ，２  ，・・・ｚｋ，Ｎ−１  ｝を順次出力する。ただし、｛Ｚｋ，ｌ  ｝の離散逆フーリエ変換を｛ｚｋ，ｍ  ｝（≡｛ｘｋ，ｍ  ＋ｊＹｋ，ｍ  ｝）とする。
ディジタル／アナログ変換器６は第１のＮポイント離散逆フーリエ変換器５ａの出力のディジタル信号｛ｘｋ，ｍ  ｝をアナログ信号に変換し、ローパスフィルタ８に供給する。ディジタル／アナログ変換器７は第２のＮポイント離散逆フーリエ変換器５ｂの出力のディジタル信号｛ｙｋ，ｍ  ｝をアナログ信号に変換し，  ローパスフィルタ９に供給する。
【０００８】
ローパスフィルタ８，９はディジタル／アナログ変換器６，７の出力のアナログ信号の不要な高調波成分を除去し、乗算器１０，１１へ供給する。
乗算器１０はローパスフィルタ８の出力信号とＩＦ帯局部発振器１３の出力信号との乗算を行う、つまり、周波数変換を行う。この周波数変換によりベースバンドの周波数帯域から中間周波帯域の信号に周波数変換する。乗算器１１はローパスフィルタ９の出力信号とＩＦ帯局部発振器１３の出力信号をπ／２移相器１２でπ／２（ｒａｄ）だけ位相を遅らせた信号との乗算を行う、つまり、周波数変換を行う。π／２移相器１２は入力信号の位相をπ／２（ｒａｄ）だけ遅らせる装置である。この乗算器１１による周波数変換によっても、ベースバンドの周波数帯域から中間周波帯域の信号に周波数変換が行われるが、乗算器１０で周波数変換した信号と乗算器１１で周波数変換した信号とはπ／２（ｒａｄ）だけ位相がずれている、つまり、直交している。
加算器１４は乗算器１０の出力と乗算器１１の出力とを加算し、ＩＦ帯バンドパスフィルタ１５に供給する。ＩＦ帯バンドパスフィルタ１５は加算器１４の出力信号の所定のＩＦ帯信号のみを通過させ、乗算器１６に供給する。
乗算器１６はＩＦ帯バンドパスフィルタ１５の出力信号とＲＦ帯局部発振器１７との乗算を行い、つまり、ＲＦ帯域の周波数信号に変換し、ＲＦ帯バンドパスフィルタ１８に供給する。
ＲＦ帯バンドパスフィルタ１８は乗算器１６の出力信号の所定のＲＦ帯信号のみを通過させ、アンテナ１９に供給する。
アンテナ１９から、受信側（復調器）に上述のごとくＯＦＤＭ変調された信号が送信される。
【０００９】
図１１は上記ＯＦＤＭ変調された信号を受信して復調する差動化ＱＰＳＫ−ＯＦＤＭ復調器の構成例を示すブロック図である。
３０は受信アンテナを示し、３１はＲＦ帯バンドパスフィルタを示し、３２は乗算器（周波数変換器）を示し、３３はＲＦ帯局部発振器を示し、３４はＩＦ帯バンドパスフィルタを示し、３５，３６は乗算器（周波数変換器）を示し、３７はπ／２移相器を示し、３８はＩＦ帯局部発振器を示し、３９，４０ははローパスフィルタを示し、４１，４２はアナログ／ディジタル変換器を示し、４３はＮ−ポイント離散フーリエ変換器を示し、４４は差動ＱＰＳＫ復調器を示し、４５はデマルチプレクサを示し、４６はパラレル／シリアル変換器を示し、４７はディジタル復調出力を示す。
【００１０】
図１１に示した差動化ＱＰＳＫ−ＯＦＤＭ復調器の動作について説明する。基本的に、差動化ＱＰＳＫ−ＯＦＤＭ復調器は図１０に図解した差動化ＱＰＳＫ−ＯＦＤＭ変調器の逆の動作を行う。
受信アンテナ３０で、図１０の差動化ＱＰＳＫ−ＯＦＤＭ変調器から送出されたＯＦＤＭ変調信号を受信し，  ＲＦ帯バンドパスフィルタ３１へ供給する。
ＲＦ帯バンドパスフィルタ３１は所定のＲＦ信号のみを通過させ、乗算器３２へ供給する。
乗算器３２はＲＦ帯バンドパスフィルタ３１の出力信号とＲＦ帯局部発振器３３の出力との乗算を行い、受信信号をＩＦ帯域の信号に変換して、ＩＦ帯バンドパスフィルタ３４に供給する。
ＩＦ帯バンドパスフィルタ３４は所定のＩＦ帯信号を通過させ、乗算器３５，３６に供給する。
乗算器３５はＩＦ帯バンドパスフィルタ３４の出力信号とＩＦ帯局部発振器３８の出力との乗算を行い、ベースバンドの周波数信号に変換して、ローパスフィルタ３９へ供給する。乗算器３６はＩＦ帯バンドパスフィルタ３４の出力信号とＩＦ帯局部発振器３８の出力をπ／２移相器３７でπ／２（ｒａｄ）だけ位相を遅らせた信号との乗算を行い、乗算器３５の周波数変換出力とπ／２（ｒａｄ）ずれたベースバンド信号に変換して、ローパスフィルタ４０へ供給する。π／２移相器３７は入力信号の位相をπ／２（ｒａｄ）だけ遅らせる装置である。
ローパスフィルタ３９，４０は乗算器３５，３６の出力信号の不要な高調波成分を除去し、ベースバンドの信号のみを通過させアナログ／ディジタル変換器４１，４２へ供給する。
【００１１】
アナログ／ディジタル変換器４１はローパスフィルタ３９の出力のアナログ信号をディジタル信号、つまり実数データ｛〜ｘ  ｋ，ｍ  ｝（電子出願の制約上、ｘ  ｋ，ｍ  の上の〜を〜ｘ  ｋ，ｍ  と表す、以下、同様）に変換し，  Ｎ−ポイント離散フーリエ変換器４３の実部入力部４３ａへ供給する。アナログ／ディジタル変換器４２はローパスフィルタ４０の出力のアナログ信号をディジタル信号、つまり虚数データ〜｛ｙ  ｋ，ｍ  ｝に変換し，  Ｎポイント離散フーリエ変換器４３の虚部入力部４３ｂへ供給する。
Ｎポイント離散フーリエ変換器４３は、実部入力部４３ａと虚部入力部４３ｂの入力を持ち、｛〜ｘ  ｋ，ｍ  ＋ｊ（〜ｙ  ｋ，ｍ  ）｝のＮ−ポイントの離散フーリエ変換を行い、（｛〜ｚｋ，ｍ  ｝の離散フーリエ変換を｛〜Ｚｋ，ｌ  ｝とする）  Ｎ個の複素数｛〜Ｚｋ，０  ，〜Ｚｋ，１  ，〜Ｚｋ，２  ，・・・〜Ｚｋ，Ｎ−１  ｝を差動化ＱＰＳＫ復号化器４４に供給する。
差動化ＱＰＳＫ復号化器４４内にあるＮ個の差動化ＱＰＳＫ復号化回路は、前後の入力信号の｛〜Ｚｋ−１  ，ｌ｝と｛〜Ｚｋ，ｌ  ｝の相対的な位相差（０，±π／２，π）を検出し、表２にしたがって復号を行う回路である。
表２は差動化ＱＰＳＫ復号器の入力位相による復号符号の変換テーブルを示す。
【００１２】
【表２】
0003582138.tif 000003
【００１３】
ここで、差動化ＱＰＳＫ−ＯＦＤＭ復調器側で正しく送信データを受信し復調するには次の３つの同期再生動作が必要である。
１．搬送波再生
２．クロック再生
３．ウィンドウ再生
搬送波再生とは、受信側（復調器）のＲＦ帯局部発振器３３およびＩＦ帯局部発振器３８の位相を送信側（変調器）のそれと同期させなければならないことである。
クロック再生とは、送信側（変調器）のクロックに同期したクロックを受信側（復調器）で再生すること（アナログ／ディジタル変換器４１，４２のサンプリングするクロックを再生すること）である。
ウィンドウ再生とは、Ｎ−ポイント離散フーリエ変換器４３においてＯＦＤＭの伝送信号のシンボル区間とＦＦＴウィンドウ区間を同期させることである。
【００１４】
ここで搬送波再生の位相誤差をΔΦ、クロックのずれをΔτｃｌｏｃｋ  、ＦＦＴウィンドウのずれをΔτｗｉｎｄｏｗ、ＯＦＤＭ搬送波のインデックスをｎ、および、ＯＦＤＭ搬送波の角周波数をｎω０  とすると、送信信号点と受信信号点の単位時間あたりの位相誤差Δθｎ  は次式１で表せる。
【００１５】
【数１】
0003582138.tif 000004
【００１６】
差動符号化ＱＰＳＫ−ＯＦＤＭでは各搬送波ごとにシンボルの前後の相対的な位相の変化（０，±π／２，π）でデータを復調するため、絶対位相を再生する必要がなく、位相誤差Δθｎ  が時間とともに積算されることもなく，  データを復調する際に位相誤差Δθｎ  の影響をあまり受けない。これは、差動符号化したことによる優利な点である。
【００１７】
【発明が解決しようとする課題】
ところが、この差動符号化という手法は、上述したＰＳＫ変調方式には適用しやすいが、ＱＡＭ変調方式には適用しにくい面がある。その結果、ＱＡＭ変調方式に適用した場合、下記に挙げる問題が発生する。
１．伝送路特性によって受信データに振幅・位相誤差が生じる。
２．搬送波再生およびＦＦＴ窓同期の位相誤差によってＯＦＤＭ各搬送波の位相に位相誤差が生じる。
３．その位相誤差は一様ではなく、各搬送波ごとに異なっている。
４．その位相誤差によって、正しく送信データを受信できないことがある。
【００１８】
したがって、本発明は上述した問題を解決することにある。
本発明の目的は、ＱＡＭ変調方式に有効に適用可能な、直交周波数分割多重方式（ＯＦＤＭ方式）による変調装置を提供することにある。
また本発明の目的は、ＱＡＭ変調方式に有効に適用可能な、ＯＦＤＭ方式による復調装置を提供することにある。
さらに本発明の目的は、ＯＦＤＭ方式による変復調方法を提供することにある。
【００１９】
本発明の第１観点によれば、復調の際、複数ポイントについて離散フーリエ変換を行う直交周波数分割多重方式の復調装置に、複数ポイントについて離散逆フーリエ変換を行う直交周波数分割多重方式で伝送すべき信号に周期的に参照信号を挿入して変調された信号を受信し、該参照信号を検出する参照信号検出装置、該検出した参照信号を用いて、位相誤差および振幅誤差を算出する装置、該位相誤差および振幅誤差を参照して受信した伝送信号を補正する装置を設け、
前記参照信号検出装置は、前記複数ポイント離散フーリエ変換結果データを前記参照信号の挿入タイミングに応じて遅延させる遅延装置、該遅延された２つのデータの距離を積算演算する距離演算装置、および、該距離演算装置で算出した距離の積算値から参照信号かどうかを判別する参照信号判定装置を有する、直交周波数分割多重方式の復調装置が提供される。
【００２０】
本発明の第２観点によれば、復調の際、複数ポイントについて離散フーリエ変換を行う直交周波数分割多重方式の復調装置に、複数ポイントについて離散逆フーリエ変換を行う直交周波数分割多重方式で伝送すべき信号に周期的に参照信号を挿入して変調された信号を受信し、該参照信号を検出する参照信号検出装置、該検出した参照信号を用いて、位相誤差および振幅誤差を算出する装置、該位相誤差および振幅誤差を参照して受信した伝送信号を補正する装置を設け、
前記参照信号検出装置は、前記複数ポイント離散フーリエ変換結果データを前記参照信号の挿入タイミングに応じて遅延させる遅延装置、該遅延された２つのデータの距離を積算演算する距離演算装置、該距離演算装置で算出したその距離を格納するバッファメモリ、該バッファメモリ内のデータの最小値を見つけ、そのバッファメモリのアドレスを出力する比較器、および、前記バッファメモリのアドレスに対応したデータ信号区間に参照信号であることを示す信号を出力する参照信号位置デコーダを有する、直交周波数分割多重方式の復調装置が提供される。
【００２１】
本発明の第３観点によれば、復調の際、複数ポイントについて離散フーリエ変換を行う直交周波数分割多重方式の復調装置に、複数ポイントについて離散逆フーリエ変換を行う直交周波数分割多重方式で伝送すべき信号に周期的に参照信号を挿入して変調された信号を受信し、該参照信号を検出する参照信号検出装置、該検出した参照信号を用いて、位相誤差および振幅誤差を算出する装置、該位相誤差および振幅誤差を参照して受信した伝送信号を補正する装置を設け、
前記参照信号検出装置は、前記複数ポイント離散フーリエ変換結果データを前記参照信号の挿入タイミングに応じて遅延させる遅延装置、該遅延された２つのデータの距離を積算演算する距離演算装置、および、該距離演算装置におけるその積算値から参照信号かどうかを判別する参照信号判定装置、参照信号判定装置の出力時点のシンボルのインデックスに変換する参照信号位置エンコーダ、該参照信号位置エンコーダの出力を格納するバッファメモリ、該バッファメモリの格納されているデータと参照信号位置エンコーダの出力データとを比較する比較器、該比較器の比較結果によって状態を遷移し、その状態によってバッファメモリの書き込み／読み出しを制御する状態遷移レジスタ、および、前記バッファメモリの格納データを読み出し、そのデータに対応した特定データ信号に参照信号であることを示す信号を出力させる参照信号位置デコーダを有する、直交周波数分割多重方式の復調装置が提供される。
【００２２】
本発明の第４観点によれば、復調の際、複数ポイントについて離散フーリエ変換を行う直交周波数分割多重方式の復調装置に、複数ポイントについて離散逆フーリエ変換を行う直交周波数分割多重方式で伝送すべき信号に周期的に参照信号を挿入して変調された信号を受信し、該参照信号を検出する参照信号検出装置、該検出した参照信号を用いて、位相誤差および振幅誤差を算出する装置、該位相誤差および振幅誤差を参照して受信した伝送信号を補正する装置を設け、
前記参照信号検出装置は、前記複数ポイント離散フーリエ変換結果データを前記参照信号の挿入タイミングに応じて遅延させる遅延装置、該遅延された２つのデータの距離を積算演算する距離演算装置、該距離演算装置で演算した距離を格納する第１のバッファメモリ、該第１のバッファメモリ内のデータの最小値を見つけ、そのバッファメモリのアドレスを出力する第１の比較器、該第１の比較器の出力データを格納する第２のバッファメモリ、該第２のバッファメモリの内容と前記第１の比較器の出力データを比較し、比較結果を出力する第２の比較器、該第２の比較器の比較結果によって状態を遷移し、その状態によって前記第２のバッファメモリの書き込み／読み出しを制御する状態遷移レジスタ、および、前記第２のバッファメモリの内容を読み出し、そのデータに対応した特定データ信号に参照信号であることを示す信号を出力させる参照信号位置デコーダを有する、直交周波数分割多重方式の復調装置が提供される。
【００２３】
好ましくは、前記距離演算装置は、前記２つの遅延された値の差の二乗和を計算する。
【００２４】
また好ましくは、前記距離演算装置は、前記２つの遅延された値の差の絶対値和を計算する。
【００２５】
また好ましくは、前記距離演算装置は、前記２つの遅延された値の位相差の絶対値和を計算する。
【００２６】
【作用】
ＯＦＤＭ変調器で参照信号を送出し、ＯＦＤＭ復調器でその参照信号を検出する装置を設けることで参照信号の振幅・位相の誤差量を計算し、この誤差量を用いてデータの振幅・位相誤差を補正し、正しくデータを受信する。
【００２７】
【実施例】
本発明の直交周波数分割多重方式による変復調システムは、ＯＦＤＭ変調器とＯＦＤＭ復調器とを有する。
図１は本発明の実施例としての１６ＱＡＭ−ＯＦＤＭ変調器の構成図である。
図４は本発明の実施例としての１６ＱＡＭ−ＯＦＤＭ復調器の構成図である。
【００２８】
まず、図１に示した１６ＱＡＭ−ＯＦＤＭ変調器について述べる。
１６ＱＡＭ−ＯＦＤＭ変調器は、ディジタル入力端子５０、シリアル／パラレル変換器５１、マルチプレクサ（スイッチ）５２、Ｎ個の１６ＱＡＭ変調回路を有する１６ＱＡＭ符号化器５３、参照信号発生器５４、マルチプレクサ（スイッチ）５５、離散逆高速フーリエ変換（ＩＦＦＴ）回路を有するＮポイント離散逆フーリエ変換器５６、ディジタル／アナログ変換器５７，５８を有する。
なお、ディジタル／アナログ変換器５７，５８以降の回路構成は、図１０に図解した回路構成と実質的に同じであるから、図解の簡略化のため、図１においては省略している。
図１０に図解した差動化ＱＰＳＫ−ＯＦＤＭ変調器と図１に図解した１６ＱＡＭ−ＯＦＤＭ変調器とを比較すると、図１に示した１６ＱＡＭ−ＯＦＤＭ変調器に参照信号発生器５４が付加されていことに留意されたい。また、図１０の差動化ＱＰＳＫ−ＯＦＤＭ変調器における差動化ＱＰＳＫ符号化器４に対して、図１の１６ＱＡＭ−ＯＦＤＭ変調器においては多値ＱＡＭ符号化器として１６ＱＡＭ符号化器５３を設けている。
【００２９】
図１に示したＯＦＤＭ変調器の動作について説明する。
ディジタル入力信端子５０にディジタル信号を入力し、シリアル／ディジタル変換器５１へ供給する。このシリアル・ディジタル信号としては、たとえば、上述したように、ＯＦＤＭ変調器を用いて画像伝送を行うことは想定した場合、ＭＰＥＧなどに画像処理を行う情報源符号化装置の出力が相当する。
シリアル／ディジタル変換器５１は１ビットずつのシリアルデータを４ビットのパラレルデータに変換し、マルチプレクサ５２へ供給する。
マルチプレクサ５２はシリアル／パラレル変換器５１の出力の４ビットのデータを順次、１６ＱＡＭ符号化器５３内にあるＮ個の１６ＱＡＭ符号化回路に供給する。
Ｎ個の１６ＱＡＭ符号化回路はそれぞれ４ビットのディジタル信号、００００〜１１１１を図２に示す複素平面の座標に割り当て、符号化信号｛Ｚｋ，ｌ  （≡Ｘｋ，ｌ  ＋ｊＹｋ，ｌ  ）｝を出力する。この座標点の実数部値Ｘｋ，ｌ  と虚数部値Ｙｋ，ｌ  を表３に示す。
【００３０】
【表３】
0003582138.tif 000005
【００３１】
参照信号発生器５４はＮポイント離散逆フーリエ変換器５５にＮポイントの参照信号｛Ｐ０，Ｐ１，Ｐ２，・・・ＰＮ−１  ｝を供給する。
参照信号発生器５４で発生させる参照信号｛Ｐｌ  ｝について説明する。参照信号｛Ｐｌ  ｝は疑似ランダム系列の一部を複素平面上に割り当てたものである。ここで参照信号｛Ｐｌ  ｝の実施例として、疑似ランダム系列：ｘ２０＋ｘ３  ＋１の一部を、図３に示すように、ＱＰＳＫの座標点を割り当てたものとすると、表４のようになる。
表４は４ビット入力に対する複素平面上の１６ＱＡＭの変換テーブルの値を示す。これらの値を参照信号発生器５４内のＲＯＭに記憶させておく。つまり、参照信号発生装置５４は、実部と虚部の２つの参照信号発生用ＲＯＭを有し、前記参照信号をテーブルの形式で保存しておく。
【００３２】
【表４】
0003582138.tif 000006
【００３３】
マルチプレクサ５５は１６ＱＡＭ符号化器５３からの符号化信号｛Ｚｋ，ｌ  ｝と参照信号発生器５４からの参照（パイロット）信号｛Ｐｌ  ｝とをＭ回に一度、周期的に切り替える。たとえば、Ｍ＝４ならば、下記のように、参照（パイロット）信号｛Ｐｌ  ｝を周期的に（定期的に）Ｎポイント離散逆フーリエ変換器５６に供給する。
【００３４】
・・・，｛Ｚ−１，ｌ｝，  ｛Ｐｌ  ｝，  ｛Ｚ１，ｌ  ｝，  ｛Ｚ２，ｌ  ｝，  ｛Ｚ３，ｌ  ｝，  ｛Ｐｌ  ｝，  ｛Ｚ５，ｌ  ｝，  ｛Ｚ６，ｌ  ｝，  ｛Ｚ７，ｌ  ｝，  ｛Ｐｌ  ｝，  ｛Ｚ９，ｌ  ｝，・・・
【００３５】
好適には、このように、ＯＦＤＭ変調装置は前記正規のデータを伝送するシンボルと前記参照信号を伝送するシンボルとに分離し、１つのシンボルに前記データと前記参照信号を混在させない。
また好適には、前記参照信号発生器５４は参照信号として、疑似ランダム系列のデータに対応した信号点データを送出する。この参照信号データは数値およびデータの系列が時不変である。
【００３６】
Ｎポイント離散逆フーリエ変換器５６は、内蔵するＩＤＦＴ回路を用いて、Ｎポイントの複素データ｛Ｚｋ，ｌ  ｝または参照信号｛Ｐｌ  ｝をＮポイントの離散逆フーリエ変換を行う。
正規の伝送すべき信号｛Ｚｋ，ｌ  （≡Ｘｋ，ｌ  ＋ｊＹｋ，ｌ  ）｝の離散逆フーリエ変換を｛ｚ  ｋ，ｍ  （ｘｋ，ｍ  ＋ｊｙ  ｋ，ｍ  ）  ｝とし、参照信号｛Ｐ  ｌ  （≡Ｑｌ  ＋ｊＲｌ  ）｝の離散逆フーリエ変換を｛ｒｍ  （≡ｑｍ  ＋ｊｒｍ  ）｝とする。
Ｎポイント離散逆フーリエ変換器５６は演算結果を実部と虚部に分けて出力し，  符号化データの実部｛ｘｋ，ｍ  ｝または参照信号の実部｛ｑｍ  ｝をディジタル／アナログ変換器５７に供給し、符号化データの虚部｛ｙｋ，ｍ  ｝または参照信号の虚部｛ｒｍ  ｝をディジタル／アナログ変換器５８に供給する。
ディジタル／アナログ変換器５７，５８はそれぞれＮポイント離散逆フーリエ変換器５６から出力されたディジタル信号をアナログ信号に変換する装置である。
なお，  ディジタル／アナログ変換器５７，５８以降の動作は図１０を参照して述べた動作と実質的に同じである。
以上の結果、ＯＦＤＭ変調器のアンテナ（図示せず）からは、本来の送信信号に加えて、周期的（定期的）に挿入された参照信号が送出され、後述するＯＦＤＭ復調器で受信されて、復調される。
【００３７】
図４は本発明の実施例としのＯＦＤＭ復調器の構成図である。ＯＦＤＭ復調器は基本的に図１に示したＯＦＤＭ変調器と逆の回路構成になっている。
ＯＦＤＭ復調器は、アナログ／ディジタル変換器６０，６１、離散高速フーリエ変換（ＤＦＴ）回路を有するＮポイント離散フーリエ変換器６２、補正器６３、補正量演算器６４、参照信号検出器６５、１６ＱＡＭ復号器６６、パラレル／シリアル変換器６７、ディジタル出力端子６８を有する。
図４のＯＦＤＭ復調器は、図１１に示した復調器に対応しており、図４に図解しないアナログ／ディジタル変換器６０，６１の前の回路構成、つまり、図１１に示した、受信アンテナ３０、ＲＦ帯バンドパスフィルタ３１、乗算器（周波数変換器）３２、ＲＦ帯局部発振器３３、ＩＦ帯バンドパスフィルタ３４、乗算器（周波数変換器）３５，３６、π／２移相器３７、ＩＦ帯局部発振器３８、ローパスフィルタ３９，４０は図１１の回路構成と同じである。
【００３８】
アナログ／ディジタル変換器６０，６１は、アンテナ（図１１のアンテナ３０に相当する）で受信され、第１のバンドパスフィルタ（図１１のバンドパスフィルタ３１に相当する）〜ローパスフィルタ（図１１のローパスフィルタ３９，４０に相当する）で信号処理された入力アナログ信号をディジタル信号に変換してＮポイント離散フーリエ変換器６２に印加する。より具体的には、アナログ／ディジタル変換器６０は入力アナログ信号をディジタル信号｛〜ｘｋ，ｍ  ｝に変換してＮポイント離散フーリエ変換器６２の実部入力部６２ａへ供給する。アナログ／ディジタル変換器６１は入力アナログ信号をディジタル信号｛〜ｙ  ｋ，ｍ  ｝に変換して、その出力をＮポイント離散フーリエ変換器６２の虚部入力部６２ｂに供給する。
Ｎポイント離散フーリエ変換器６２は実部入力部６２ａと虚部入力部６２ｂとの２系統の信号処理部を持つ。Ｎポイント離散フーリエ変換器６２は離散フーリエ変換、好適には、離散高速フーリエ変換（ＤＦＴ）を行う装置であり、実部入力部からＮ個、虚部入力部からＮ個のデータ｛〜ｚｋ，０  ，〜ｚｋ，１  ，〜ｚｋ，２  ，・・・〜ｚｋ，Ｎ−１  ｝（〜ｚｋ，ｍ  ≡〜ｘ  ｋ，ｍ  ＋ｊ（〜ｙ  ｋ，ｍ  ））を用いて演算を行い，  ｛〜Ｚｋ，ｌ  ｝を得る。なお、（〜｛ｚｋ，ｍ  ｝の離散フーリエ変換（離散高速フーリエ変換）結果を｛〜Ｚｋ，ｌ  ｝とする。
【００３９】
参照信号検出器６５は離散高速フーリエ変換結果｛〜Ｚｋ，ｌ  ｝が、図１のＯＦＤＭ変調器から送出された参照信号｛Ｐｌ  ｝であるか否かを判断する。参照信号検出器６５の詳細については後述する。
位相補正量演算器６４は図１に示したＯＦＤＭ変調器側であらかじめ規定されており、参照信号検出器６５で検出した参照信号｛Ｐｌ  ｝を用いて，  受信信号｛〜Ｚｋ，ｌ  ｝と規定の参照信号｛Ｐｌ  ｝を比較して振幅誤差および位相誤差を計算し，  その結果を補正器６３へ供給する。受信信号｛〜Ｚｋ，ｌ  ｝か参照信号｛Ｐｌ  ｝かどうかは、参照信号検出器６５の出力信号によって得られる。
補正器６３は振幅・位相補正量演算器６４の演算結果、つまり、振幅誤差および位相誤差を用いて，  Ｎポイント離散フーリエ変換器６２出力｛〜Ｚｋ，ｌ  ｝の振幅および位相を補正し、１６ＱＡＭ復号器６６へ供給する。
【００４０】
１６ＱＡＭ復号器６６は補正器６３の出力信号｛Ｚｋ，ｌ  （≡Ｘｋ，ｌ  ＋ｊＹｋ，ｌ  ）｝が図２の座標点のどの点に一番近いか判断し一番近い点を選択し４ビットのデータを出力し、パラレル／シリアル変換器６７に供給する。
パラレル／シリアル変換器６７は１６ＱＡＭ復号器６６の出力のパラレルの４ビットのデータをシリアルデータに変換する装置で、その出力をディジタル出力端子６８に供給する。
【００４１】
以上述べたように、ＯＦＤＭ復調器は、参照信号を検出し、基準となる参照信号を用いて位相誤差および振幅誤差を算出し、これら位相誤差および振幅誤差を用いて正規のデータ信号を補正するので、多値ＱＡＭを適用した場合でも、正確な受信データを復調することができる。
【００４２】
参照信号検出器６５は種々の形態をとることができる。以下、参照信号検出器６５の構成を例示する。
参照信号検出器６５の第１の実施例を図５に示す。
７０は入力端子、７１はＭ遅延装置、７２は距離演算装置、７３は参照信号判定装置、７４は判定レベル入力信号（しきい値レベル信号）、７５は出力端子を示す。
入力端子７０には離散フーリエ変換器６２の出力信号｛〜Ｚｋ，ｌ  ｝が入力され、Ｍ−遅延装置７１と距離演算装置７２に供給される。
Ｍ遅延装置７１は、距離演算装置７２で信号｛〜Ｚｋ−Ｍ，ｌ  ｝と信号｛〜Ｚｋ，ｌ  ｝の距離計算をするために｛〜Ｚｋ，ｌ  ｝をＭだけ遅延させる装置である。
【００４３】
距離演算装置７２は信号｛〜Ｚｋ−Ｍ，ｌ  ｝と信号｛〜Ｚｋ，ｌ  ｝の距離計算をする装置である。距離演算装置７２における距離演算方法の例を下記に挙げる。
距離演算装置の第１の実施例は式２の距離の自乗和を計算する。
【００４４】
【数２】
0003582138.tif 000007
【００４５】
距離演算装置の第２の実施例は式３の実施例は式３の絶対値和を計算する。
【００４６】
【数３】
0003582138.tif 000008
【００４７】
距離演算装置の第３の実施例は式４の位相差の和を計算する。
【００４８】
【数４】
0003582138.tif 000009
【００４９】
距離演算装置７２は、以上に例示したいずれかの方法によって算出された距離演算結果Ｑｋ  を参照信号判定装置７３に供給する。なお、距離演算装置７２の演算結果Ｑｋ  を｛〜Ｚｋ−Ｍ，ｌ  ｝と｛〜Ｚｋ，ｌ  ｝の距離と定義する。
【００５０】
参照信号判定装置７３は、距離演算結果Ｑｋ  と判定レベル入力７４の判定レベルとを比較し、距離演算結果Ｑｋ  が判定レベルレベル入力７４以下であれば参照信号であることを示す判定信号を出力端子７５に供給する。
【００５１】
参照信号検出器の第２の実施例を図６に示す。
８０は入力端子、８１はＭ遅延装置、８２は距離演算装置、８３はマルチプレクサ、８４はＭ個のバッファメモリＢＭ♯０〜ＢＭ♯Ｍ−１を有するメモリ装置、８５は比較器、８６は参照信号位置デコーダ、８７は出力端子である。
Ｍ遅延装置８１および距離演算装置８２の動作は、図５を参照して述べたＭ遅延装置７１および距離演算装置７２の動作と同じである。
距離演算器８２以降の構成について述べる。距離演算器８２の演算出力Ｑｋ  をマルチプレクサ８３に供給する。なお、上記同様、演算結果Ｑｋ  を｛〜Ｚｋ−Ｍ，ｌ  ｝と｛〜Ｚｋ，ｌ  ｝の距離と定義する。
マルチプレクサ８３にて、バッファメモリ装置８４のどのバッファメモリに書き込むかを選択する。マルチプレクサ８３は下記のように、バッファメモリを再帰的に切り替える。
【００５２】
ＢＭ♯０−ＢＭ♯１−ＢＭ♯２−ＢＭ♯３−・・・・・
ＢＭ♯Ｍ−２−ＢＭ♯Ｍ−１−ＢＭ♯０−ＢＭ♯１−ＢＭ♯２−ＢＭ♯３−
・・・ＢＭ♯Ｍ−２−ＢＭ♯Ｍ−１−ＢＭ♯０−ＢＭ♯１−・・・
【００５３】
バッファメモリ装置８４は距離演算器８２の出力データＱｉ  を記憶する装置である。たとえば，  バッファメモリＢＭ♯ｎには距離演算結果Ｑｉ  （  ただしｉはｉ≡ｎｍｏｄ（Ｍ−１）を満足する整数である）が書き込まれる。
比較器８５はバッファメモリ装置８４から読みだされたデータについて、Ｍ個のバッファメモリＢＭに格納されてあるデータの中で最も小さいデータが格納してあるバッファメモリＢＭの番号、または、バッファメモリ装置８４が１つのメモリで構成されているときはそのアドレス番号を参照信号位置デコーダ８６に供給する。参照信号位置デコーダ８６は、比較器８５出力のバッファメモリの番号またはバッファメモリ装置８４のアドレス番号に応じたデータ信号区間に参照信号であることを示す信号を出力する。たとえばバッファメモリＢＭ♯ｎに格納しているデータが最小であれば、｛〜Ｚｉ，ｌ  ｝（  ただしｉはｉ≡ｎ  ｍｏｄ（Ｍ−１）を満足する整数である）なるデータのときに参照信号であることを示すデコード信号を出力端子８７に供給する。
【００５４】
参照信号検出器の第３の実施例を図７に示す。
９０は入力端子、９１はＭ遅延装置、９２は距離演算装置、９３は参照信号判定器、９４は参照信号位置エンコーダ、９５は比較器、９６はバッファメモリ、９７は参照信号位置デコーダ、９８は状態遷移レジスタ、９９は出力端子である。
入力端子９０には離散フーリエ変換器６２の出力信号｛〜Ｚｋ，ｌ  ｝が入力され、Ｍ遅延装置９１と距離演算装置９２に供給される。
Ｍ遅延装置９１および距離演算装置９２の動作は、図５を参照して述べたＭ遅延装置７１および距離演算装置７２の動作と同じである。Ｍ遅延装置９１で信号｛〜Ｚｋ，ｌ  ｝をＭだけ遅延させ、距離演算装置９２で｛〜Ｚｋ−Ｍ，ｌ  ｝と｛〜Ｚｋ，ｌ  ｝の距離計算を行い、その距離演算結果ＱＫ  を参照信号判定装置９３に供給する。
参照信号判定装置９３は距離演算装置９２の出力データＱｉと判定レベル入力９３ａ  の判定レベルとを比較し、データＱｉが判定レベル９３ａ  以下であれば参照信号であるという信号を出力し、判定レベル以上であれば参照信号ではないという信号を出力し、参照信号位置エンコーダ９４に供給する。
参照信号位置エンコーダ９４は参照信号判定装置９３の出力データを参照信号の位置データに変換し、比較器９５とバッファメモリ９６に供給する装置である。これは、データＱｉ  が参照信号判定装置９３よって参照信号だと判定されれば、Ｑｉ  のサフィックスｉをＭ−１で割った剰余を出力するものである。
比較器９５は参照信号位置エンコーダ９４の出力データとバッファメモリ９６に格納されているデータを読み出して比較し，  「等しい」あるいは「等しくない」というデータを状態遷移レジスタ９８に供給する。
バッファメモリ９６は参照信号位置エンコーダ９４の出力データを格納している装置である。バッファメモリ９６は状態遷移レジスタ９８の制御信号によって書き込まれ、格納されているデータは読み出されて比較器９５や参照信号位置デコーダ９７に供給される。
状態遷移レジスタ９８は比較器９５の出力データによって、図８のように状態を遷移させるレジスタであり、Ｈ状態でバッファメモリ９６に書き込みの制御信号を伝達し、Ｓｉｊ状態でバッファメモリ９６に読み出しの制御信号を伝達する装置である。
参照信号位置デコーダ９７はバッファメモリ９６からデータｎを読み出し，  ｛〜Ｚｋ，ｌ  ｝（ただしｋはｋ≡ｎ  ｍｏｄ（Ｍ−１）を満足する整数である）  なるデータのときに参照信号であるという信号を出力９９に供給する装置である。
【００５５】
参照信号検出器の第４の実施例を図９に示す。
１００  は入力端子、１０１  はＭ遅延装置、１０２  は距離演算装置、１０３  はマルチプレクサ、１０４  は複数の独立したバッファメモリＢＭ♯０〜ＢＭ♯Ｍ−１からなるバッファメモリ装置または１台のバッファメモリで複数のバッファメモリ回路のように動作させる第１のバッファメモリ装置、１０５  は第１の比較器、１０６  は第２の比較器、１０７  は第２のバッファメモリ装置、１０８  は参照信号位置デコーダ、１０９  は状態遷移レジスタ、１１０  は出力端子である。
入力端子１００  には離散フーリエ変換器２の出力｛〜Ｚｋ，ｌ  ｝が入力され、Ｍ遅延装置１０１  と距離演算装置１０２  に供給される。
Ｍ遅延装置１０１  および距離演算装置１０２  の動作は、図５を参照して述べたＭ遅延装置７１および距離演算装置７２の動作と同じである。Ｍ遅延装置１０１  で信号｛〜Ｚｋ，ｌ  ｝をＭだけ遅延させ、距離演算装置１０２  で｛〜Ｚｋ−Ｍ，ｌ  ｝と｛〜Ｚｋ，ｌ  ｝の距離計算を行い、その距離演算結果ＱＫ  をマルチプレクサ１０３  に供給する。
マルチプレクサ１０３  、バッファメモリ装置１０４  および第１の比較器１０５  は、図６を参照して述べたマルチプレクサ８３、バッファメモリ装置８４および比較器８５と同様に動作する。つまり、マルチプレクサ１０３  は図６を参照して述べたと同様、バッファメモリ装置１０４  内のバッファメモリＢＭを再帰的に切り替える。バッファメモリ装置１０４  はＭ個のバッファメモリからなり、距離演算装置１０２  出力データを記憶する。第１の比較器１０５  はバッファメモリ１０４  装置からＭ個のデータを読み出し、最小データを格納しているバッファメモリＢＭ♯ｎの番号♯ｎまたは１台のバッファメモリ装置で構成している場合はそのバッファメモリのアドレス番号ｎを第２の比較器１０６  と第２のバッファメモリ装置１０７  に供給する。
第２の比較器１０６  は第２のバッファメモリ装置１０７  に格納されているデータを読み出し、第１の比較器１０５  の出力データとを比較して、「等しい」あるいは「等しくない」というデータを状態遷移レジスタ１０９  に供給する。
第２のバッファメモリ装置１０７  は第１の比較器１０５  の出力データを格納しているメモリ装置であり、状態遷移レジスタ１０９  からの制御信号によって第１の比較器１０５  の出力データを書き込み、バッファメモリ装置１０７  に格納しているデータを第２の比較器１０７  に読み出されるかたちで供給している。
状態遷移レジスタ１０９  は、図７を参照して述べた状態遷移レジスタ９８と同様、比較器１０６  の出力データによって図８のように状態を遷移させるレジスタであり、Ｈ状態でバッファメモリ１０７  に書き込みの制御信号を伝達し比較器１０５  の出力データをバッファメモリ１０７  に書き込み，  Ｓｉｊ状態でバッファメモリ１０７  に読み出しの制御信号を伝達し比較器１０６  に記憶データを供給する。
参照信号位置デコーダ１０８  は、図７を参照して述べたデコーダ９７と同様、第２のバッファメモリ１０７  からデータｎを読み出し，  ｛〜Ｚｋ，ｌ  ｝（ただし、ｋはｋ≡ｎ  ｍｏｄ（Ｍ−１）を満足する整数であるなるデータのときに参照信号であることを示す信号を出力端子１１０  に供給する。
【００５６】
以上、本発明の好適実施例として、１６ＱＡＭ−ＯＦＤＭ変調器および１６ＱＡＭ−ＯＦＤＭ復調器、より具体的には、１６ＱＡＭ符号および１６ＱＡＭ復号を行うＯＦＤＭについて例示したが、本発明の実施に際しては、１６ＱＡＭ符号および１６ＱＡＭ復号には限定されず、上述した本発明のＯＦＤＭに適合する種々の多値ＱＡＭ変調を行う種々の変形態様をとることができる。
【００５７】
また、図１に示した参照信号発生器５４における参照信号としては、上述した疑似ランダム系列に限定されず、本発明のＯＦＤＭに適合する種々のランダム系列を用いることができる。さらに、参照信号の印加タイミング（挿入タイミング）は、上述した例のように、Ｍ＝４には限定されない。この参照信号挿入タイミングは、長いほうが、実際の信号伝送に与える影響は小さいが、図７および図９を参照して例示した参照信号検出器におけるバッファメモリの数は多くなる。
【００５８】
【発明の効果】
本発明に基づいて、ＯＦＤＭの多値ＱＡＭを行う変調側で伝送信号に適切に参照信号を送信し、復調側でその参照信号を検出して、受信した伝送信号の振幅誤差および位相誤差を算出し、受信した伝送信号に振幅補正および位相補正を行い、受信データの精度を高めることができる。
換言すれば、本発明によれば、多値ＱＡＭを行うＯＦＤＭについて、受信精度を高めることができるので、ＯＦＤＭに多値ＱＡＭを適用することができる。
【図面の簡単な説明】
【図１】本発明のＯＦＤＭによる変復調システムにおける実施例としての参照信号発生器を有するＯＦＤＭ変調器の部分構成図である。
【図２】図１に示したＯＦＤＭ変調器に適用される複素平面上における１６ＱＡＭの座標点配置を示す図である。
【図３】図１に示したＯＦＤＭ変調器内の参照信号発生器で発生される参照信号データの複素平面上の座標点配置を示す図である。
【図４】本発明の直交周波数分割多重方式による変復調システムにおける実施例としての参照信号検出器を有するＯＦＤＭ復調器の部分構成図である。
【図５】図４に示したＯＦＤＭ復調器内の参照信号検出器の第１実施例の構成図である。
【図６】図４に示したＯＦＤＭ復調器内の参照信号検出器の第２実施例の構成図である。
【図７】図４に示したＯＦＤＭ復調器内の参照信号検出器の第３実施例の構成図である。
【図８】図７に示した状態遷移レジスタの状態遷移図である。
【図９】図４に示したＯＦＤＭ復調器内の参照信号検出器の第４実施例の構成図である。
【図１０】各搬送波が差動化ＱＰＳＫ変調されたＯＦＤＭ変調器の構成例を示す図である。
【図１１】各搬送波が差動化ＱＰＳＫされたＯＦＤＭ復調器の構成例を示す図である。
【符号の説明】
５０・・ディジタル入力端子
５１・・シリアル／パラレル変換器
５２・・マルチプレクサ
５３・・１６ＱＡＭ符号化器
５４・・参照信号発生器
５５・・マルチプレクサ
５６・・Ｎポイント離散逆フーリエ変換器
５７，５８・・ディジタル／アナログ変換器
６０，６１・・アナログ／ディジタル変換器
６２・・Ｎポイント離散フーリエ変換器
６３・・補正器
６４・・補正量演算器
６５・・参照信号検出器
６６・・１６ＱＡＭ復号器
６７・・パラレル／シリアル変換器
６８・・ディジタル出力端子
【図１】
0003582138.tif 000010
【図２】
0003582138.tif 000011
【図３】
0003582138.tif 000012
【図４】
0003582138.tif 000013
【図５】
0003582138.tif 000014
【図６】
0003582138.tif 000015
【図７】
0003582138.tif 000016
【図８】
0003582138.tif 000017
【図９】
0003582138.tif 000018
【図１０】
0003582138.tif 000019
【図１１】
0003582138.tif 000020